(57)【要約】  本発明は、スティック（１３）へのドッキングに適した手持ち型真空掃除機（１１）を備えるスティック型真空（１０）掃除機に関する。手持ち型真空掃除機（１１）をスティック（１３）にドッキングさせると、手持ち型真空掃除機（１１）の空気出口（２１）を、スティック（１３）に設けられた空気出口と接続する空気経路（２８）が形成される。さらに、ノイズ吸収ユニット（２０）は、空気経路（２８）、またはスティック（１３）からの空気出口（２２）の外側に設けられる。
2019528829.tif 000002
【特許請求の範囲】
【請求項１】
スティックへのドッキングに適した手持ち型真空掃除機を備える真空掃除機であって、前記手持ち型真空掃除機を前記スティックにドッキングさせると、前記手持ち型真空掃除機の空気出口を、前記スティックに設けられた空気出口と接続する空気経路が形成され、ノイズ吸収ユニットが、前記空気経路、または前記スティックからの前記空気出口の外側に設けられる、真空掃除機。
【請求項２】
前記スティックの前記空気入口に、または前記手持ち型真空掃除機からの前記空気出口に、あるいは、前記スティックの前記空気入口、および前記空気出口の両方に、気密封止が設けられる、請求項１に記載の真空掃除機。
【請求項３】
前記気密封止が防音である、請求項２に記載の真空掃除機。
【請求項４】
前記防音封止がＵ字形である、請求項３に記載の真空掃除機。
【請求項５】
前記ノイズ吸収ユニットが、マフラーを備える、請求項１〜４のいずれか一項に記載の真空掃除機。
【請求項６】
前記マフラーが、内管および外管であって、その間に置かれる吸収材料を有する内管および外管によって形成される、請求項５に記載の真空掃除機。
【請求項７】
前記内管によって形成されるチャネルが、少なくとも２ｃｍの断面を有する、請求項６に記載の真空掃除機。
【請求項８】
ノイズ吸収ユニットが、前記空気経路、および前記スティックに設けられた前記空気出口の外側の両方に設けられる、請求項１〜７のいずれか一項に記載の真空掃除機。
【請求項９】
スティックへのドッキングに適した手持ち型真空掃除機を受けるためのスティックであって、一端で、前記スティックからの空気出口に接続され、他端で、前記手持ち型真空掃除機からの空気出口に接続可能な空気経路を備え、ノイズ吸収ユニットが、前記空気経路、または前記スティックからの前記空気出口の外側に設けられる、スティック。
【発明の詳細な説明】
【技術分野】
【０００１】
本発明は真空掃除機に関する。特に、本発明はスティック型真空掃除機に関する。
【背景技術】
【０００２】
主電源によって動くだけでなく電池でも動く手持ち型真空掃除機は、以前から知られており（たとえば、米国特許第４９６７４４３号明細書参照）、小さい面をすばやく掃除するために使用されている。このような真空掃除機は、簡単に利用でき、使いやすい設計であることが重要である。これらの真空掃除機は通常、集塵容器をフィルタとともに、ファンユニットを含む真空掃除機ハウジングの残りの部分から取り外すことができるように設計されている。
【０００３】
下部がノズルを支持するシャフト部と組み合わせて、上で説明されたタイプの手持ち型真空掃除機を使用することも以前から知られている。このタイプの手持ち型真空掃除機は、スティック型真空掃除機または２ｉｎ１スティック型真空掃除機と呼ぶことができる（たとえば、国際公開第２００４／０６９０２１号パンフレット参照）。シャフト部には管接続が設けられ、それにより、含塵空気は、ノズルから、シャフト部に取り外し可能に固定される手持ち型真空掃除機の空気入口へ送られる。これは、簡単な方法で組み合わせたスティック型真空掃除機が、床を掃除するために使用することができることを意味する。換言すれば、手持ち型スティック型真空掃除機は、スティックへのドッキング、およびスティックからのドッキング解除が可能であり、手持ち型真空掃除機をスティックにドッキングさせたときに床掃除を可能とする。別の従来のスティック型真空掃除機は、国際公開第２００８／０８８２７８号パンフレットで説明されている。
【０００４】
従来のスティック型真空掃除機では、厳密に空間が要求される。これは、スティック型真空掃除機に大きな空間を必要とする構成要素を提供する可能性を減少させ、従来の真空掃除機と比較して、いくつかの態様においては性能を悪化させるが、それは、いくつかの従来の構成要素を、省略しなければならない、または手持ち型真空掃除機のあまり効率的ではない構成要素と入れ替えなければならないことがあるためである。真空掃除機の性能の改善は、絶え間なく求められている。よって、改良されたスティック型真空掃除機が必要である。
【発明の概要】
【発明が解決しようとする課題】
【０００５】
改良された真空掃除機を提供することが、本発明の目的である。特に、改良されたスティック型真空掃除機を提供することが、本発明の目的である。
【課題を解決するための手段】
【０００６】
この目的は、添付の特許請求の範囲に記載されるようなスティック型真空掃除機によって達成される。
【０００７】
１つの実施形態によると、スティックへのドッキングに適した手持ち型真空掃除機を備えるスティック型真空掃除機が提供される。手持ち型真空掃除機をスティックにドッキングさせると、手持ち型真空掃除機の空気出口を、スティックに設けられた空気出口と接続する空気経路が形成される。ノイズ吸収ユニットは、空気経路に設けられる。これによって、ドッキングモードで操作するように構成されているとき、真空掃除機からのノイズは減少する。ノイズ吸収ユニットは、代案または補助として、スティックからの空気出口においてスティックの外側に設けることができる。
【０００８】
１つの実施形態によると、スティックの空気入口に、または手持ち型真空掃除機からの空気出口に、またはスティックの空気入口、および空気出口の両方に、気密封止が設けられる。気密封止は防音とすることができる。１つの実施形態によると、防音封止はＵ字形である。
【０００９】
１つの実施形態によると、ノイズ吸収ユニットはマフラーを備える。マフラーは、内管および外管であって、その間に置かれる吸収材料を有する内管および外管によって形成することができる。
【００１０】
１つの実施形態によると、内管によって形成されるチャネルは、少なくとも２ｃｍの断面が与えられる。
【００１１】
本発明は、上記による真空掃除機における使用のためのスティックにも及ぶ。
【００１２】
ここで本発明は、一例として、添付図面を参照して、さらに詳細に説明される。
【図面の簡単な説明】
【００１３】
【図１】先行技術によるスティック型真空掃除機を示す。
【図２】異なる実施形態におけるスティック型真空掃除機の断面図を示す。
【図３】異なる実施形態におけるスティック型真空掃除機の断面図を示す。
【図４】マフラーを示す。
【図５】防音封止を示す。
【図６ａ】ドッキングが解除された構成におけるスティック型真空掃除機を示す。
【図６ｂ】ドッキングが解除された構成におけるスティック型真空掃除機を示す。
【発明を実施するための形態】
【００１４】
本発明を、本発明の特定の実施形態が示されている添付の図面を参照しながら、以下により詳しく説明する。しかしながら、本発明は多くの異なる形態で具現化されてもよく、本明細書に記載される実施形態に限定されるように解釈すべきでない。むしろ、これらの実施形態は、本開示が徹底的かつ完全になるように、および本発明の範囲を当業者に完全に伝えるように、例として提供される。以下の記載において、類似の要素には類似の符号が付されている。
【００１５】
図１は、先行技術による従来のスティック型真空掃除機１０を概略的に示す。示されたスティック型真空掃除機１０は、細長いシャフト部を備える。細長いシャフト部は、スティックと呼ぶことができる。スティックには、手持ち型真空掃除機１１が、取り外し可能に配置される。したがって、それによって、手持ち型真空掃除機は、スティックへのドッキング、およびスティックからのドッキング解除が可能である。スティックの下端は、スティックに回動可能に固定できる床ノズル１２を支持する。ノズルは、細長い吸込口を有し、吸込口は、流路１５を介して、従来の態様で手持ち型真空掃除機１１に接続される。スティックの上部は、ハンドル１６として成形することができ、通常、手持ち型真空掃除機１１をスティックにドッキングさせたときに、手持ち型真空掃除機１１に電気回路（詳細には示されていない）を介して接続される操作ノブ１７を有する。
【００１６】
図１に示されるもののようなスティック型真空掃除機と関連する問題は、手持ち型真空掃除機１１の内部に装置を設けるための厳密な空間制限があることである。これは、通常、手持ち型真空掃除機の寸法および重量に関して、扱いにくく、操作が難しくならないように厳密な要件があるためである。結果として、いくつかの要素が、手持ち型真空掃除機では通常、省略されている、または非常に小さく作られている。たとえば、通常、手持ち型真空掃除機には、ノイズ吸収ユニットが設けられていない、またはそのようなノイズ吸収ユニットは、非常に小さく作られて、効率的にノイズは低減されない。
【００１７】
少なくとも部分的にこの問題を解決または軽減するために、手持ち型真空掃除機１１の空気出口から、スティック１３からの空気出口までの空気通路の中で、ノイズ吸収ユニットをスティックに配置することができる。これによって、スティック型真空掃除機は、手持ち型真空掃除機がスティックにドッキングされているドッキングモードであるときに、改良されたノイズ低減を提供できることが実現される。ノイズ吸収ユニットは、代案または補助として、スティックからの空気出口においてスティックの外側に設けることができる。
【００１８】
図２に、スティック型真空掃除機１０の側面からの断面図が示される。図２では、スティック型真空掃除機１０のスティック１３にノイズ吸収ユニット２０が設けられている。ノイズ吸収ユニット２０は、スティック１３の手持ち型真空掃除機１１からの空気経路に配置することができる。図２において、空気経路は、矢印２８によって示される。そのため、ノイズ吸収ユニット２０は、手持ち型真空掃除機１１の空気出口２１から、スティック１３からの空気出口２２までの空気経路に配置することができる。使用時、手持ち型真空掃除機１１のモータ１４は、空気流路１５を介してノズル１２から空気を吸い込み、空気出口２１を介して手持ち型真空掃除機１１の外へと空気を排出する。手持ち型真空掃除機１１がスティック１３にドッキングされている場合、排出空気は、空気経路２８を介して、スティック１３の空気出口２２まで続く。
【００１９】
効率的なノイズ低減を行うために、スティックの空気入口、または手持ち型真空掃除機からの空気出口２１、またはその両方に気密封止を設けることができる。
【００２０】
さらに、図２では、ノイズ吸収ユニットは、空気出口２１を空気出口２２と直接接続しているように示されている。しかしながら、手持ち型真空掃除機から、スティックに設けられた空気出口に排出空気を導く空気経路をスティック内部に設けることも想定される。ノイズ吸収ユニット２０は、ゆるく詰められた羊毛などの吸音材料の容器によって形成することができる。
【００２１】
図３に、別の実施形態によるスティック型真空掃除機１０の側面からの断面図が示される。図３の実施形態は、図２に示される実施形態と類似しており、マフラー３０として形成されたノイズ吸収ユニットを有する。マフラー３０は、防音封止４０を有する接続を介して、手持ち型真空掃除機からの空気出口２１に接続することができる。
【００２２】
図４に示されるように、マフラー３０は、外管３１および内部有孔管３２から構成される管とすることができ、中間部に、吸収材料３３を設けることができる。いくつかの実施形態によると、管３１、３２のうちの少なくとも１つ、好ましくは、外管３１および内管３２の両方が、プラスチック材料またはいくつかの他のわずかに伸縮性のある材料によって形成される。吸収材料３３は通常、羊毛、高密度綿繊維、発泡体、または同様の材料によって形成される緩衝材料とすることができる。マフラー３０は、空気をスティック型真空掃除機から外に出すために通すことができる断面を有するチャネル３４を形成する。チャネル３４の断面積の設計は、スティック型真空掃除機１０からの空気流の性能に影響を与える。たとえば、断面が小さいと、損失はより大きくなる。したがって、２ｃｍより大きい、好ましくは３ｃｍより大きい断面を有するチャネルによるマフラーを提供することが有利である。マフラー３０の出口端に配置されるスティック型真空掃除機からの空気出口２２には、穿孔カバーおよびディフューザ４５を設けることができる。
【００２３】
図５に、防音封止４０の図が示される。防音封止は、Ｕ字形封止、または場合によっては、Ｖ字形封止とすることができる。防音封止は、気密封止を有するよりも要求が厳しい。Ｕ字形の封止を設けることによって、絶縁は向上し、それによって、音は低減する。
【００２４】
図６ａおよび６ｂに、互いのドッキングが解除された手持ち型真空掃除機１１およびスティック型真空掃除機のスティック１３が示される。
【００２５】
本発明は、ごく少数の実施形態に関して上で説明された。しかしながら、当業者であれば容易に分かるように、付属の特許請求の範囲で定義された本発明の範囲内において、上で開示されたもの以外の実施形態も同様に可能である。
【図１】
2019528829.tif 000003
【図２】
2019528829.tif 000004
【図３】
2019528829.tif 000005
【図４】
2019528829.tif 000006
【図５】
2019528829.tif 000007
【図６ａ】
2019528829.tif 000008
【図６ｂ】
2019528829.tif 000009
【国際調査報告】
2019528829.tif 000010
2019528829.tif 000011